(57)【特許請求の範囲】
【請求項１】
シャーシ(１)内に固定配備される第１の透光体と、第１の透光体の透光方向に略直交する向きにスライドする樹脂製のホルダ(３)を設け、第１の透光体は金属板から形成されたカバー(６)にてシャーシ(１)上に押さえられ、ホルダ(３)はカバー(６)の上面に接して、ホルダ(３)と第１の透光体間は少なくともカバー(６)の板厚分の隙間が確保され、カバー(６)のホルダ(３)スライド方向に沿う両端部は、ホルダ(３)とは反対側に折曲されていることを特徴とする電気機器。
【請求項２】
ホルダ(３)上には、該ホルダ(３)のスライドにより第１の透光体に対向した箇所に選択的に配備される第２の透光体と第３の透光体が設けられ、ホルダ(３)には第２の透光体と第３の透光体に被さる薄手の覆い片(35)が取り付けられている、請求項１に記載の電気機器。
【請求項３】
ホルダ(３)は、シャーシ(１)に開設された側孔(13)内にスライド可能に嵌まり、側孔(13)内にはホルダ(３)の上下ガタを規制する蓋体が挿入される、請求項１又は２に記載の電気機器。
【請求項４】
第１の透光体は光学ローパスフィルタ(75)であり、第２の透光体と第３の透光体は夫々赤外線カットフィルタ(７)及びダミーガラス片(70)である、請求項２又は３に記載の電気機器。
【発明の詳細な説明】
【技術分野】
【０００１】
本発明は、透光体を選択的に配置する電気機器、具体的には赤外線カットフィルタとダミーガラス片を選択的にレンズ光軸上に配置する監視用カメラに関する。
【背景技術】
【０００２】
斯種監視用カメラには、固体撮像素子としてＣＣＤを用いたものが多い。このＣＣＤの感度特性は４００ｎｍ〜１０００ｎｍ程度の波長領域に及び、特に赤外線領域(７００ｎｍ程度以上)の感度が高くなっている。そのため外部の被写体からの光をそのままＣＣＤに入光させると、ＣＣＤから出力されるカラー映像が赤みを帯びる。そこで、レンズとＣＣＤとの間に赤外線領域の光を除去する赤外線カットフィルタを挿入してその赤みを除去している。
また、昼間は光量が多いためＣＣＤから良好なカラー出力が得られるが、夜間は逆に光量が少ないから良好なカラー出力を得ることができない。そこで夜間は、ＣＣＤに入力される光量を多くするため赤外線カットフィルタは使用せず、赤外線領域を含んだ光をＣＣＤに入力させて良好な映像を得るようにしている。
監視用カメラでは、このようなＣＣＤの特性を考慮して、ＣＣＤ出力レベルの大きい(昼間の如き光量の多い)ときにはレンズとＣＣＤの間に赤外線カットフィルターを挿入し、ＣＣＤ出力レベルの小さい(夜間の如き光量の少ない)ときには赤外線カットフィルタに代えてダミーガラス片を自動的に挿入する監視用カメラが、提案されている。
【０００３】
図７は、従来の監視用カメラを示すブロック図である。該カメラのキャビネット(２)内には、レンズ(５)と、ＣＣＤ(４)と、レンズ(５)とＣＣＤ(４)の間である空間Ｋに選択的に挿入される赤外線カットフィルタ(７)又はダミーガラス片(70)と、モータ(Ｍ)駆動されて赤外線カットフィルタ(７)及びダミーガラス片(70)を、レンズ光軸Ｌに直交する方向(図７の矢印Ｘ方向)に移動させるスライド機構(20)とが設けられている。
赤外線カットフィルタ(７)及びダミーガラス片(70)は、レンズ光軸Ｌに直交する面内にて互いに繋がり、並んで配備される。赤外線カットフィルタ(７)又はダミーガラス片(70)の何れか一方が、空間Ｋに挿入され、他方が空間Ｋから外れる。
レンズ(５)を通して入射する光のうち赤外領域の波長成分(７００ｎｍ程度以上)は、赤外線カットフィルタ(７)により除去される。ＣＣＤ(４)は、赤外線カットフィルタ(７)、又はダミーガラス片(70)を通って入射する光を電気信号に変換する。
【０００４】
図８は、スライド機構(20)の詳細を示す斜視図である(特許文献１参照)。スライド機構(20)は、モータ(Ｍ)とともに回転する連結アーム(22)と、赤外線カットフィルタ(７)及びダミーガラス片(70)を載置して連結アーム(22)に繋がった透明体のホルダ(25)と、ホルダ(25)のスライドを案内する支持板(26)を具える。支持板(26)にはレンズ(５)からＣＣＤ(４)への透光を許す透孔(27)が設けられている。モータ(Ｍ)が回転すると、連結アーム(22)を介してホルダ(25)がスライドし、赤外線カットフィルタ(７)又はダミーガラス片(70)が選択的に透孔(27)に対向する。ＣＣＤ(４)には赤外線カットフィルタ(７)又はダミーガラス片(70)を通った光が入射する。
【０００５】
【特許文献１】特開２００３−３４８３９９号公報
【発明の開示】
【発明が解決しようとする課題】
【０００６】
ＣＣＤ(４)は周知の如く、受光面上に多数の画素を配列し、空間周波数特性を持った被写体像を２次元的にサンプリングすることにより映像信号を得ている。しかし、空間周波数がサンプリング周波数の１／２の周波数(ナイキスト周波数)以上のときは、モアレと呼ばれる偽信号が生じる。この対策として、被写体像の空間周波数をナイキスト周波数以下に制限してモアレを防止すべく、レンズ(５)と赤外線カットフィルタ(７)又はダミーガラス片(70)との間に、光学ローパスフィルタを挿入することがある。
しかし、監視用カメラでは、空間Ｋが狭く、空間Ｋ内にて光学ローパスフィルタと、赤外線カットフィルタ(７)又はダミーガラス片(70)との隙間を大きく設けることができないことがある。一方、隙間を正確に確保しないと、光学ローパスフィルタがスライドする赤外線カットフィルタ(７)又はダミーガラス片(70)に接し、傷付く虞れがある。
また、従来にあっては、赤外線カットフィルタ(７)及びダミーガラス片(70)はホルダ(25)に接着剤にて接着されていた。しかし、接着剤が硬化するまでに時間が掛かったり、接着作業性が悪いとの問題があった。
本発明の目的は、固定配備された第１の透光体と、該第１の透光体に対向し対向方向に直交する向きにスライドするホルダを、狭い空間内に効率よく配備することにある。また、ホルダへの透光体の接着固定を不要とすることも目的とする。
【課題を解決するための手段】
【０００７】
シャーシ(１)内に、固定配備される第１の透光体と、第１の透光体の透光方向に略直交する向きにスライドする樹脂製のホルダ(３)を設け、第１の透光体は金属板から形成されたカバー(６)にてシャーシ(１)上に押さえられ、ホルダ(３)はカバー(６)の上面に接して、ホルダ(３)と第１の透光体間は少なくともカバー(６)の板厚分の隙間が確保され、カバー(６)のホルダ(３)スライド方向に沿う両端部は、ホルダ(３)とは反対側に折曲されている。
また、ホルダ(３)上には、該ホルダ(３)のスライドにより、第１の透光体に対向した箇所に選択的に配備される第２の透光体と第３の透光体が設けられ、ホルダ(３)には第２の透光体と第３の透光体に被さる薄手の覆い片(35)が取り付けられる。
【発明の効果】
【０００８】
１．第１の透光体を押さえるカバー(６)によってホルダ(３)と第１の透光体間は少なくともカバー(６)の板厚分の隙間が確保される。これにより、第１の透光体とホルダ(３)を互いに接することなく、狭い空間内に効率よく配備することができる。また、カバー(６)は金属板からなり、ホルダ(３)が合成樹脂から形成されているから、ホルダ(３)のカバー(６)に対する摺動摩擦は低減され、ホルダ(３)がスムーズに摺動することができる。加えて、カバー(６)のホルダ(３)スライド方向に沿う両端部は、ホルダ(３)とは反対側に折曲されているから、ホルダ(３)には金属板の折曲によるＲ面が当たり、これによってもホルダ(３)がスムーズに摺動することができる。
２．第２の透光体と第３の透光体は、接着ではなく、薄手の覆い片(35)によりホルダ(３)上に取り付けられているから、接着作業の繁雑さはない。また、覆い片(35)が薄手であり、ホルダ(３)は狭い空間内に配備され得る。
【発明を実施するための最良の形態】
【０００９】
以下、本発明の一実施例を図を用いて詳述する。
図１は、監視用カメラ内に配備されるシャーシ(１)の斜視図であり、図２は、図１の正面図である。該シャーシ(１)内に後記の如く、赤外線カットフィルタ(７)及びダミーガラス片(70)がスライド可能に配備される。シャーシ(１)からは中空の角筒(10)が突出し、該角筒(10)の上面には、ＣＣＤ(４)が配備される開口(14)が形成されている。角筒(10)はＣＣＤ(４)用の基板(40)に取り付けられる略平行な壁片(11)(11)をブリッジ片(12)にて連結した構成である。シャーシ(１)の下面であって、角筒(10)の反対側にはレンズ(５)が光軸に沿って摺動可能に配備されるが、レンズ(５)を光軸方向に摺動させる機構は図示しない。レンズ(５)からの画像が、赤外線カットフィルタ(７)又はダミーガラス片(70)を通って、ＣＣＤ(４)上に合焦するのは従来と同じである。
【００１０】
シャーシ(１)の左端部には、第１蓋(８)が被さり、第１蓋(８)の内側に赤外線カットフィルタ(７)及びダミーガラス片(70)をスライドさせる機構が配備される。第１蓋(８)は該スライド機構を保護すると共に、赤外線カットフィルタ(７)及びダミーガラス片(70)への遮光も兼ねている。シャーシ(１)の下面にて、第１蓋(８)の反対側には、該赤外線カットフィルタ(７)及びダミーガラス片(70)をスライドさせる機構を駆動するモータ(Ｍ)が取り付けられている。
【００１１】
図３(a)、(b)は、第１蓋(８)を取り外したシャーシ(１)の平面図である。シャーシ(１)の左端部には、モータ(Ｍ)に連結した歯車列(21)が設けられ、該歯車列(21)は連結アーム(22)を介してホルダ(３)に繋がる。ホルダ(３)はレンズ光軸に直交する面内を左右にスライド可能に設けられ、ホルダ(３)上には透光体である赤外線カットフィルタ(７)及びダミーガラス片(70)が横に並んで配備されている。赤外線カットフィルタ(７)及びダミーガラス片(70)は、ホルダ(３)がスライドすることにより選択的に開口(14)に対向する。図３(a)は赤外線カットフィルタ(７)が、図３(b)はダミーガラス片(70)が夫々開口(14)に対向している状態を示している。
ホルダ(３)の左端部からは被検出子(34)が突出し、該被検出子(34)は第１蓋(８)に開設された長孔(80)を通って第１蓋(８)の外側に飛び出す。被検出子(34)の左右位置により、第１蓋(８)がシャーシ(１)に被さっていても、赤外線カットフィルタ(７)又はダミーガラス片(70)の何れが開口(14)に対向しているかが判る。
【００１２】
図４は、シャーシ(１)及びホルダ(３)の分解斜視図である。シャーシ(１)の角筒(10)の側面であって、ブリッジ片(12)の下方には側孔(13)が開設されて(図６参照)、ホルダ(３)は該側孔(13)を通ってスライドする。ホルダ(３)の下側には、透光体である光学ローパスフィルタ(75)が配備され、該光学ローパスフィルタ(75)は、金属板を折曲して形成されるカバー(６)によってシャーシ(１)に押さえられる。カバー(６)はホルダ(３)下面に対向した上板(60)と、ホルダ(３)スライド方向に沿う両端部に位置して、ホルダ(３)とは反対側に折曲された側板(61)(61)を具えている。
【００１３】
図５は、ホルダ(３)と光学ローパスフィルタ(75)とカバー(６)を、図４のＡ−Ａ線を含む面にて破断し矢視した断面図である。カバー(６)は側板(61)(61)が側孔(13)に嵌まり、上板(60)がホルダ(３)の下面に接している。上板(60)とホルダ(３)の下面との当接により、ホルダ(３)と光学ローパスフィルタ(75)は少なくとも上板(60)の厚み分、具体的には０.１ｍｍは隙間が空いている。
これにより、光学ローパスフィルタ(75)とホルダ(３)を互いに接することなく、狭い空間内に効率よく配備することができる。また、カバー(６)は金属板からなり、ホルダ(３)が合成樹脂から形成されているから、ホルダ(３)のカバー(６)に対する摺動摩擦は低減され、ホルダ(３)がスムーズに摺動することができる。加えて、カバー(６)の側板(61)(61)は、ホルダ(３)とは反対側に折曲されているから、ホルダ(３)には金属板の折曲によるＲ面が当たり、これによってもホルダ(３)がスムーズに摺動することができる。
【００１４】
ホルダ(３)には、段部(32)を有する第１貫通孔(30)と第２貫通孔(31)が開設され、第１貫通孔(30)に赤外線カットフィルタ(７)が、第２貫通孔(31)にダミーガラス片(70)が嵌まる。ホルダ(３)には赤外線カットフィルタ(７)又はダミーガラス片(70)に被さる薄手フィルム状の覆い片(35)が取り付けられ、該覆い片(35)の赤外線カットフィルタ(７)及びダミーガラス片(70)に対向する箇所は孔(36)が開設されている。該覆い片(35)により赤外線カットフィルタ(７)又はダミーガラス片(70)がホルダ(３)から抜けることが防止される。即ち、赤外線カットフィルタ(７)又はダミーガラス片(70)は接着ではなく、薄手の覆い片(35)によりホルダ(３)上に取り付けられているから、接着作業の繁雑さはない。また、覆い片(35)が薄手であり、ホルダ(３)は狭い空間内に配備され得る。
【００１５】
図４に示すように、側孔(13)にはホルダ(３)に被さる第２蓋(９)が角筒(10)の側方から嵌められる。第２蓋(９)の側孔(13)への挿入側端部には、突起(90)(90)が設けられ、該突起(90)(90)はシャーシ(１)に開設した嵌め孔(15)(15)に嵌まる。該第２蓋(９)により、ホルダ(３)の上下ガタが規制されるとともに、ホルダ(３)が摺動する隙間が確保される。また、第２蓋(９)は、赤外線カットフィルタ(７)及びダミーガラス片(70)への遮光も兼ねている。
角筒(10)は側孔(13)を開設しているので、強度が低下する虞れがある。そこで、壁片(11)(11)間にブリッジ片(12)を設けて、強度低下を防いでいるのである。
【００１６】
本例の監視用カメラにあっては、第１の透光体として光学ローパスフィルタ(75)を例示し、第２の透光体と第３の透光体として、赤外線カットフィルタ(７)及びダミーガラス片(70)を示したが、透光体の種類をこれに限定するものではない。また、本例の技術的思想は監視用カメラに限定されず、他の透光体を具えた電気機器にも適用できる。
【００１７】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００１８】
【図１】監視用カメラ内に配備されるシャーシの斜視図である。
【図２】図１の正面図である。
【図３】(a)、(b)は、第１蓋を取り外したシャーシの平面図であり、(a)は赤外線カットフィルタが、(b)はダミーガラス片が夫々開口に対向している状態を示している。
【図４】シャーシ及びホルダの分解斜視図である。
【図５】ホルダと光学ローパスフィルタとカバーを、図４のＡ−Ａ線を含む面にて破断し矢視した断面図である。
【図６】角筒の断面図である。
【図７】従来の監視用カメラを示すブロック図である。
【図８】従来のスライド機構の詳細を示す斜視図である。
【符号の説明】
【００１９】
(１)  シャーシ
(３)  ホルダ
(６)  カバー
(７)  赤外線カットフィルタ
(35)  覆い片
(70)  ダミーガラス片
(75)  光学ローパスフィルタ
【図１】
0004624256.tif 000002
【図２】
0004624256.tif 000003
【図３】
0004624256.tif 000004
【図４】
0004624256.tif 000005
【図５】
0004624256.tif 000006
【図６】
0004624256.tif 000007
【図７】
0004624256.tif 000008
【図８】
0004624256.tif 000009